(57)【特許請求の範囲】
【請求項１】
シリコーンで一体成型される搾乳集乳器であって、
前記搾乳集乳器は、内部が中空で乳汁貯蔵容器を形成する本体を含み、
前記本体の厚み方向における一方側において乳房外周に貼り付けられる乳房保護膜が設けられ、前記乳房保護膜上に前記乳汁貯蔵容器に連通された集乳口が開設され、前記本体において選択的に封止される乳汁排出口がさらに開設されており、
前記本体は、その幅方向に位置する第１の側壁および第２の側壁を有し、前記第１の側壁および前記第２の側壁において、いずれも前記乳汁貯蔵容器の外部に向かって押出部が凸設形成され、２つの前記押出部間の距離が前記本体の底部における幅および前記本体の頂部における幅よりも大きい、ことを特徴とする搾乳集乳器。
【請求項２】
前記本体の内壁において、前記本体と前記乳房保護膜との連結箇所に設けられた支持リングが凸設され、
前記支持リングの厚みが前記乳房保護膜の厚みよりも大きい、ことを特徴とする請求項１に記載の搾乳集乳器。
【請求項３】
前記本体の内壁および外壁は、いずれもスムーズに設けられ、且つ前記本体と前記支持リングとの連結箇所、前記支持リングと前記乳房保護膜との連結箇所、および前記本体内外のコーナは、いずれもスムーズな過渡構造として設けられる、ことを特徴とする請求項２に記載の搾乳集乳器。
【請求項４】
前記本体の高さ方向に沿って、前記集乳口の上方における内壁から前記乳房保護膜の頂部における外縁までの距離がｈ１であり、前記集乳口の下方における内壁から前記乳房保護膜の底部における外縁までの距離がｈ２であり、ｈ１は、ｈ２よりも小さい、ことを特徴とする請求項１に記載の搾乳集乳器。
【請求項５】
前記集乳口は、楕円形の孔であり、前記集乳口の長軸半径が前記本体の幅方向に沿って延び、且つ前記集乳口の中心が前記乳房保護膜の中心よりも上方に間隔をおいて設けられる、ことを特徴とする請求項１に記載の搾乳集乳器。
【請求項６】
前記本体の底部における幅が前記本体の頂部における幅よりも大きい、ことを特徴とする請求項１に記載の搾乳集乳器。
【請求項７】
前記押出部は、円弧状構造である、ことを特徴とする請求項１に記載の搾乳集乳器。
【請求項８】
前記押出部の厚みが前記本体の厚みよりも小さい、ことを特徴とする請求項１に記載の搾乳集乳器。
【請求項９】
前記乳房保護膜の形状が、前記本体における前記乳房保護膜が設けられた一方側面の形状と合致し、および／または、
前記本体の内壁において、前記本体と前記乳房保護膜との連結箇所に設けられた支持リングが凸設され、前記支持リングの形状が、前記乳房保護膜の外縁の形状と合致する、ことを特徴とする請求項１〜８のいずれか一項に記載の搾乳集乳器。
【請求項１０】
前記本体は、頂部、底部、第１の側壁、第２の側壁、前側壁および後側壁を有し、前記乳房保護膜が前記前側壁に設けられ、前記第１の側壁および前記第２の側壁が前記本体の幅方向に沿って間隔をおいて設けられ、前記前側壁および前記後側壁が前記本体の厚み方向に沿って間隔をおいて設けられ、前記頂部および前記底部が前記本体の高さ方向に沿って間隔をおいて設けられ、
前記乳汁排出口が前記頂部の中心に位置し、或いは、
前記乳汁排出口が前記後側壁に位置し、且つ前記乳汁排出口の中心が前記集乳口の中心よりも上方に位置し、或いは、
前記乳汁排出口が前記第１の側壁または前記第２の側壁に位置し、且つ前記乳汁排出口の中心が前記集乳口の中心よりも上方に位置する、ことを特徴とする請求項１〜８のいずれか一項に記載の搾乳集乳器。
【請求項１１】
前記乳汁排出口の一方側において、前記乳汁排出口内に挿入されて前記乳汁排出口を密封可能な密封栓が凸設された連結ベルトが設けられている、ことを特徴とする請求項１〜８のいずれか一項に記載の搾乳集乳器。
【請求項１２】
前記密封栓は、前記連結ベルトの非端部位置に設けられている、ことを特徴とする請求項１１に記載の搾乳集乳器。
【請求項１３】
前記密封栓は、連結リンクを含み、前記連結リンクの前記連結ベルトから離れる一端に円錐形の案内部が設けられ、前記案内部の大端が前記連結リンクに連結され、前記案内部の小端が空中にぶら下がって設けられ、前記案内部の大端の直径がＤ１であり、前記案内部の小端の直径がＤ２であり、前記乳汁排出口の直径がｄであり、Ｄ２＜ｄ＜Ｄ１である、ことを特徴とする請求項１１に記載の搾乳集乳器。
【請求項１４】
前記連結リンクは、円錐形となり、前記連結リンクの大端が前記案内部の大端に連結され、前記連結リンクの小端が前記連結ベルトに連結され、前記密封栓が前記乳汁排出口内に挿入された場合、前記乳汁排出口が前記連結リンクの非端部位置と締り嵌めする、ことを特徴とする請求項１３に記載の搾乳集乳器。
【請求項１５】
前記支持リング上に案内溝が開設され、前記案内溝は、前記案内溝が前記支持リングの両側における空間を連通するように、前記支持リングの厚み方向に沿って貫通して設けられ、前記案内溝は前記乳汁排出口に隣り合う、ことを特徴とする請求項２に記載の搾乳集乳器。
【請求項１６】
前記支持リングと前記乳房保護膜との間に凹溝が形成され、前記案内溝の溝底がそれぞれ前記凹溝の溝底および前記本体の内壁に面一する、ことを特徴とする請求項１５に記載の搾乳集乳器。
【請求項１７】
前記搾乳集乳器は、高さが９０〜９５ｍｍであり、最大幅が９０〜９５ｍｍであり、最大厚みが１５〜５２ｍｍであり、正味重量が４７〜５７ｇである、ことを特徴とする請求項１〜８のいずれか一項に記載の搾乳集乳器。
【請求項１８】
前記乳汁貯蔵容器は、容量が７０〜８５ｍｌである、請求項１〜８のいずれか一項に記載の搾乳集乳器。
【請求項１９】
前記搾乳集乳器は、硬さが４５〜５０度のシリコーンで製造される、ことを特徴とする請求項１〜８のいずれか一項に記載の搾乳集乳器。
【請求項２０】
前記本体の底部において、前記本体の厚み方向に沿って前記本体の両側に間隔をおいて設けられた固定脚アセンブリが２組設けられ、
２組の前記固定脚アセンブリは、それぞれ、前記本体の前側に位置する第１のアセンブリおよび前記本体の後側に位置する第２のアセンブリであり、
前記第１のアセンブリは、前記本体の幅方向に沿って間隔をおいて設けられた固定前脚を２つ含み、
前記第２のアセンブリは、前記本体の幅方向に沿って間隔をおいて設けられた固定後脚を２つ含み、
前記固定前脚と前記固定後脚は、鋭角となって設けられる、請求項１〜８のいずれか一項に記載の搾乳集乳器。
【発明の詳細な説明】
【技術分野】
【０００１】
本発明は、母子用品の技術分野に関し、特に、搾乳および集乳機能を備える、着用可能な搾乳集乳器に関する。
【背景技術】
【０００２】
現在、市場では、搾乳器の構造は、手動と電動に分けられている。
【０００３】
普通の手動搾乳器は、連結三方弁、搾乳カバーおよび押圧ハンドルを含むことが多い。搾乳カバーは、使用者の乳房をカバーするために用いられる。搾乳カバーが連結三方弁のうちの１つの連結口に連結され、連結三方弁の別の連結口は、押圧ハンドルを取り付けるために用いられ、残りの１つの連結口は、乳瓶に連結するために用いられる。使用時、乳瓶を連結三方弁に取り付け、搾乳カバーを使用者の乳房にカバーして設け、押圧ハンドルを操作することによって搾乳カバー内の空気を絶えずに抽出し、搾乳カバー内に負圧を形成して乳房を押圧し、乳房内の乳汁を押し出した。従来の手動搾乳器は、以下の欠陥が存在する。１、通常、搾乳カバーが連結三方弁と良好な連結を実現できるために、搾乳カバーが硬質合成樹脂で製造され、硬質合成樹脂が直接的に人体に貼り付けて非常に快適ではないので、快適性を向上させるために、搾乳カバーの内部にさらに一層のシリコーン層を貼り付けて皮膚と硬質合成樹脂を隔離するものがあるが、全体外形が変化できず、異なる使用者の乳房の形状および大きさが異なり、同一の人の搾乳前後の乳房サイズも大きく変化し、搾乳の後期に搾乳カバーが自動的に形状を変えて乳房に貼り付けることができず、密封性が悪くなり、搾乳効果に影響を及ぼした。２、部品の構造が複雑であり、連結三方弁と押圧ハンドルを設ける必要があるため、組立、清潔および消毒の難易度を増加させた。３、集乳の効果がないので、通常、哺乳期の女性の乳汁が溢れて衣類が濡れることを防止するために、乳汁溢れ防止パッドを別に用意する必要がある。
【０００４】
電動搾乳器は、本体（エアポンプ）、連結三方弁および搾乳カバーを含む。現在、連結三方弁と搾乳カバーが一体的な構造として、本体の吸気口が気管によってその連結三方弁に連通されるものがある。使用前に、各付属品を要求に応じて組み立てて、乳瓶に連結し、手持の形態で、或いは、授乳用ブラジャーの補助で電動搾乳器を乳房に固定させ、本体の電源を入れて、電動搾乳器が吸着力を生成し始め、搾乳工程に入る。従来の電動搾乳器は、以下の欠陥が存在する。１、付属品のうち、いずれか一つが損壊したり故障したりする場合、電動搾乳器は、正常な搾乳効果を達成することができない。２、付属品の数が多く、使用前に組立が複雑であり、使用者の多くの時間を占用し、使用後に清潔に時間がかかり、且つ連結三方弁の体積が小さく、衛生死角が現れやすいので、細菌が生成し、健康ハザードが存在する。３、搾乳カバーは、主としてＰＰ（ポリプロピレン）で製造され、地合いが硬く、変形効果を備えず、使用者の乳房に対して衝撃感を形成しやすいながら、各種の異なる女性の乳房に貼り付けにくく、隙間が発生して漏気の現象が現れやすく、搾乳効果が不十分である。４、電力駆動をいつでもスタート・ストップすることができないので、乳房が空になった際にストップボタンを押すことを忘れた場合、乳房に対して損傷を引き起こしやすく、ひいては乳房を出血させる可能性がある。５、手動搾乳器と同様に、搾乳の機能だけを備えて集乳の機能を備えない。
【０００５】
また、市場では、更に、搾乳器ヘッド、ボトルネックおよびボトル本体を含み、一般的に、この三つの部材が一体成型の製造方法により成型されるシリコーン搾乳器がある。その一体成型されたシリコーン搾乳器は、一般的に、高さが１５〜１８ｃｍ、幅が８〜１０ｃｍ、重量が７５〜８５ｇ、容量が９０〜１５０ｍｌであるように設計されるので、以下の欠陥を有する。１、サイズが大きく、重量が重く、使用時に乳汁分泌に伴い、搾乳器ヘッドの吸着力が搾乳器の重量に従って減少したり、乳房が乳汁を押し出した後に変形して、シリコーン搾乳器との接触面が漏気したり、使用者が的確な形態でシリコーン搾乳器を使用していないので、操作が適切ではなく、搾乳器ヘッドが乳房と分離しやすく、シリコーン搾乳器を脱落させたりする。２、サイズが大きいので、衣類に隠して使用しにくく、露出状態で使用する場合、搾乳器ヘッドが透明な状態であるので、使用者の乳房を露出させ、比較的に隠れた場所でしか使用できないため、使用が不便である。３、搾乳の機能だけを備えて集乳の機能を備えない。
【発明の概要】
【発明が解決しようとする課題】
【０００６】
本発明に係る実施例は、構造がシンプルで、一体成型され、部品が少なく、組み合わせを必要せずに使用することができ、操作しやすい搾乳集乳器を提供することを１つの目的とする。
【０００７】
本発明に係る実施例は、搾乳の機能を有するだけでなく、集乳の機能を備える搾乳集乳器を提供することを別の目的とする。
【０００８】
本発明に係る実施例は、構造がシンプルで、サイズが小さく、重量が軽く、乳房に対するダメージが小さく、乳房との貼り付け度が高く、脱落しにくい搾乳集乳器を提供することを他の目的とする。
【課題を解決するための手段】
【０００９】
これらの目的を達成するために、本発明に係る実施例は以下の技術手段を講じた。
【００１０】
本発明は、シリコーン一体成型される搾乳集乳器を提供する。前記搾乳集乳器は、内部が中空で乳汁貯蔵容器を形成する本体を含み、前記本体の厚み方向における一方側において乳房外周に貼り付けられる乳房保護膜が設けられ、前記乳房保護膜上に前記乳汁貯蔵容器に連通された集乳口が開設され、前記本体において選択的に封止される乳汁排出口がさらに開設されている。
【００１１】
搾乳集乳器の好ましい態様として、前記本体の内壁において、前記本体と前記乳房保護膜との連結箇所に設けられた支持リングが凸設され、前記支持リングの厚みが前記乳房保護膜の厚みよりも大きい。
【００１２】
搾乳集乳器の好ましい態様として、前記本体の内壁および外壁は、いずれもスムーズに設けられ、且つ前記本体と前記支持リングとの連結箇所、前記支持リングと前記乳房保護膜との連結箇所、および前記本体内外のコーナは、いずれもスムーズな過渡構造として設けられる。
【００１３】
搾乳集乳器の好ましい態様として、前記本体の高さ方向に沿って、前記集乳口の上方における内壁から前記乳房保護膜の頂部における外縁までの距離がｈ１であり、前記集乳口の下方における内壁から前記乳房保護膜の底部における外縁までの距離がｈ２であり、ｈ１は、ｈ２よりも小さい。
【００１４】
搾乳集乳器の好ましい態様として、前記集乳口は、楕円形の孔であり、前記集乳口の長軸半径が前記本体の幅方向に沿って延び、且つ前記集乳口の中心が前記乳房保護膜の中心よりも上方に間隔をおいて設けられる。
【００１５】
搾乳集乳器の好ましい態様として、前記本体は、その幅方向に位置する第１の側壁および第２の側壁を有し、前記第１の側壁および前記第２の側壁において、いずれも前記乳汁貯蔵容器の外部に向かって押出部が凸設形成され、２つの前記押出部間の距離が前記本体の底部における幅および前記本体の頂部における幅よりも大きい。
【００１６】
搾乳集乳器の好ましい態様として、前記本体の底部における幅が前記本体の頂部における幅よりも大きい。
【００１７】
搾乳集乳器の好ましい態様として、前記押出部は、円弧状構造である。
【００１８】
搾乳集乳器の好ましい態様として、前記押出部の厚みが前記本体の厚みよりも小さい。
【００１９】
搾乳集乳器の好ましい態様として、前記乳房保護膜の形状が前記本体における前記乳房保護膜が設けられた一方側面の形状と合致し、および／または、前記本体の内壁において、前記本体と前記乳房保護膜との連結箇所に設けられた支持リングが凸設され、前記支持リングの形状が前記乳房保護膜の外縁の形状と合致する。
【００２０】
搾乳集乳器の好ましい態様として、前記本体は、頂部、底部、第１の側壁、第２の側壁、前側壁および後側壁を有し、前記乳房保護膜が前記前側壁に設けられ、前記第１の側壁および前記第２の側壁が前記本体の幅方向に沿って間隔をおいて設けられ、前記前側壁および前記後側壁が前記本体の厚み方向に沿って間隔をおいて設けられ、前記頂部および前記底部が前記本体の高さ方向に沿って間隔をおいて設けられ、前記乳汁排出口が前記頂部の中心に位置し、或いは、前記乳汁排出口が前記後側壁に位置し、且つ前記乳汁排出口の中心が前記集乳口の中心よりも上方に位置し、或いは、前記乳汁排出口が前記第１の側壁または前記第２の側壁に位置し、且つ前記乳汁排出口の中心が前記集乳口の中心よりも上方に位置する。
【００２１】
搾乳集乳器の好ましい態様として、前記乳汁排出口の一方側において、前記乳汁排出口内に挿入されて前記乳汁排出口を密封可能な密封栓が凸設された連結ベルトが設けられている。
【００２２】
搾乳集乳器の好ましい態様として、前記密封栓は、前記連結ベルトの非端部位置に設けられている。
【００２３】
搾乳集乳器の好ましい態様として、前記密封栓は、連結リンクを含み、前記連結リンクの前記連結ベルトから離れる一端に円錐形の案内部が設けられ、前記案内部の大端が前記連結リンクに連結され、前記案内部の小端が空中にぶら下がって設けられ、前記案内部の大端の直径がＤ１であり、前記案内部の小端の直径がＤ２であり、前記乳汁排出口の直径がｄであり、Ｄ２＜ｄ＜Ｄ１である。
【００２４】
搾乳集乳器の好ましい態様として、前記連結リンクは、円錐形となり、前記連結リンクの大端が前記案内部の大端に連結され、前記連結リンクの小端が前記連結ベルトに連結され、前記密封栓が前記乳汁排出口内に挿入された場合、前記乳汁排出口が前記連結リンクの非端部位置と締り嵌めする。
【００２５】
搾乳集乳器の好ましい態様として、前記支持リング上に案内溝が開設され、前記案内溝は、前記案内溝が前記支持リングの両側における空間を連通するように、前記支持リングの厚み方向に沿って貫通して設けられ、前記案内溝は前記乳汁排出口に隣り合う。
【００２６】
搾乳集乳器の好ましい態様として、前記支持リングと前記乳房保護膜との間に凹溝が形成され、前記案内溝の溝底がそれぞれ前記凹溝の溝底および前記本体の内壁に面一する。
【００２７】
搾乳集乳器の好ましい態様として、前記搾乳集乳器は、高さが９０〜９５ｍｍであり、最大幅が９０〜９５ｍｍであり、最大厚みが１５〜５２ｍｍであり、正味重量が４７〜５７ｇである。
【００２８】
搾乳集乳器の好ましい態様として、前記乳汁貯蔵容器は、容量が７０〜８５ｍｌである。
【００２９】
搾乳集乳器の好ましい態様として、前記搾乳集乳器は、硬さが４５〜５０度のシリコーンで製造される。
【００３０】
搾乳集乳器の好ましい態様として、前記本体の底部において、前記本体の厚み方向に沿って前記本体の両側に間隔をおいて設けられた固定脚アセンブリが２組設けられ、２組の前記固定脚アセンブリは、それぞれ、前記本体の前側に位置する第１のアセンブリおよび前記本体の後側に位置する第２のアセンブリであり、前記第１のアセンブリは、前記本体の幅方向に沿って間隔をおいて設けられた固定前脚を２つ含み、前記第２のアセンブリは、前記本体の幅方向に沿って間隔をおいて設けられた固定後脚を２つ含み、前記固定前脚と前記固定後脚は鋭角となって設けられる。
【発明の効果】
【００３１】
本発明に係る実施例の有益な効果は、搾乳集乳器がシリコーンで一体成型されることにより、搾乳集乳器の本体における乳房保護膜が設けられた一方側を乳房に貼り付けることができ、乳汁排出口を閉じた場合、本体を押し出すことによって搾乳機能を実現し、乳汁排出口を開けた場合、集乳機能を実現することができ、すなわち、１つの装置で、搾乳および集乳という２種の機能を実現することができ、実用性が高い。乳汁貯蔵容器は、搾乳のキャビティとすることができるだけでなく、乳汁を収集するためのキャビティとすることができ、搾乳集乳器の構造を極めて大きく簡素化し、その体積を縮小させ、重量を低減させるため、搾乳集乳器を衣類内に隠して搾乳および集乳の操作を行い、いかなる公共場所で使用することができる。それと同時に、その重量が軽いため、乳房保護膜の貼り付け作用で、搾乳集乳器の脱落を効果的に防止し、搾乳および集乳の操作をスムーズに行うことを確保することができる。
【図面の簡単な説明】
【００３２】
以下、図面および実施例に基づき、本発明についてさらに詳しく説明する。
【００３３】
【図１】本発明に係る実施例における搾乳集乳器の第１の視角での斜視図である。
【図２】本発明に係る実施例における搾乳集乳器の第２の視角での斜視図である。
【図３】本発明に係る実施例における搾乳集乳器の側面模式図である。
【発明を実施するための形態】
【００３４】
技術的問題を解決し、用いられた技術案および達成した技術効果をより明瞭にするために、以下、図面を結び付けて本発明に係る実施例における技術案についてさらに詳しく説明する。むろん、記載される実施例は、本発明の一部の実施例に過ぎず、全ての実施例ではない。本発明に係る実施例に基づき、当業者にとって創造的な労働を払わずに得たすべての他の実施例は、本発明の保護範囲に属すべきである。
【００３５】
本発明において、別に明確に規定・限定しない限り、「連結される」、「連結する」、「固定する」という用語は、広義に理解されるべきである。例えば、固定に連結されてもよいし、取り外し可能に連結されてもよいし、一体化されてもよいし、機械的連結されてもよいし、電気的に接続されてもよいし、直接的に連結されてもよいし、中間媒体を介して間接的に連結されてもよいし、さらに、２つの素子内部の連通または２つの素子の相互作用関係であってもよい。当業者にとっては、具体的な事情に応じて上記用語の本発明における具体的な意味を理解することができる。
【００３６】
本発明において、別に明確に規定・限定しない限り、第１の特徴が第２の特徴の「上」または「下」にあるとは、第１および第２の特徴が直接的に接触することを含んでもよいし、第１および第２の特徴が直接的に接触するものではなく、それらの間の他の特徴を介して接触することを含んでもよい。さらに、第１の特徴が第２の特徴の「上」、「上方」および「上面」にあるとは、第１の特徴が第２の特徴の真上及び斜め上方にあることを含むか、或いは、第１の特徴の水平高さが第２の特徴よりも高いことを示すものに過ぎない。第１の特徴が第２の特徴の「下」、「下方」および「下面」にあるとは、第１の特徴が第２の特徴の真下および斜め下方にあることを含むか、或いは、第１の特徴の水平高さが第２の特徴よりも小さいことを示すものに過ぎない。
【００３７】
図１〜図３に示すように、本発明に係る実施例は、搾乳集乳器を提供する。本発明に言及される搾乳集乳器の幅方向、厚み方向および高さ方向は、実際使用時の状態を参照とするものであり、図１に示すように、図示したＸ方向は、搾乳集乳器の厚み方向であり、図示したＹ方向は、搾乳集乳器の幅方向であり、図示したＺ方向は、搾乳集乳器の高さ方向である。
【００３８】
図１〜図３に示すように、本発明に係る実施例における搾乳集乳器は、シリコーンで一体成型される。前記搾乳集乳器は、内部が中空で乳汁貯蔵容器を形成する本体１を含み、前記本体１の厚み方向における一方側において乳房外周に貼り付けられる乳房保護膜２が設けられ、前記乳房保護膜２上に前記乳汁貯蔵容器に連通された集乳口２１が開設され、前記本体１上に、選択的に封止される乳汁排出口１１がさらに開設されている。搾乳集乳器がシリコーンで一体成型されることにより、搾乳集乳器の本体１における乳房保護膜２が設けられた一方側を乳房に貼り付けることができ、乳汁排出口１１を閉じた場合、本体１を押し出することによって搾乳機能を実現し、乳汁排出口１１を開けた場合、集乳機能を実現し、すなわち、１つの装置で搾乳および集乳という２種の機能を実現することができ、実用性が高い。乳汁貯蔵容器は、搾乳のキャビティとすることができるだけでなく、乳汁を収集するためのキャビティとすることができ、搾乳集乳器の構造を極めて大きく簡素化し、その体積を縮小させ、重量を低減させるため、搾乳集乳器を衣類内に隠して搾乳および集乳の操作を行い、いかなる公共場所で使用することができる。それと同時に、その重量が軽いため、乳房保護膜の貼り付け作用で、搾乳集乳器の脱落を効果的に防止し、搾乳および集乳の操作をスムーズに行うことを確保することができる。
【００３９】
本実施例において、搾乳集乳器は、硬さが４５〜５０度のシリコーンで一体成型される。シリコーン材料が弾性を有し、シリコーン材料の特性は、その剛性が強いほど、弾性が大きくなり、剛性が弱いほど、弾性が小さくなることを決定する。以下、シリコーンが押圧された後にそのまま復元可能である原理によって比較を行う。
【００４０】
硬さがそれぞれ２０〜４０度、４５〜５０度、および５１〜６５度である異なるシリコーンを３組設け、その評価結果は以下のとおりである。
【００４１】
（１）硬さが２０〜４４度のシリコーン材質を用いることにより、搾乳集乳器は、剛性が相対的に弱く、乳汁貯蔵容器の弾性効果が遅く、吸着力が小さく、乳汁の分泌量が１〜３滴／秒であり、吸着力が小さく、集乳速度が遅すぎる。且つ、その硬さでの乳房保護膜２と乳房との貼り付け度が低いため、漏気が現れやすく、乳房から脱落する現象が発生する。
【００４２】
（２）硬さが５１〜６５度のシリコーン材質を用いることにより、搾乳集乳器は、剛性が強くなり、乳汁貯蔵容器の弾性効果が大きくなり、吸着力が強くなり、乳房保護膜２と乳房との貼り付け度が向上され、漏気の現象が発生しない。しかし、実際的なテストによれば、得られた効果は、以下のとおりである。乳汁の分泌量が８〜１２滴／秒であり、搾乳の強さが大き過ぎ、乳房の不快感を引き起こし、使用者の乳房に対して痛みを引き起こしやすく、且つシリコーンの硬さが５１度に達した後、搾乳集乳器が脆くなり、損壊されやすく、製品の耐用性が大幅に低下される。
【００４３】
（３）本実施例における硬さ、すなわち硬さが４５〜５０度のシリコーン材質を用いることにより、搾乳集乳器は、変形が大きく、弾性力が強く、吸着力が適切であり、乳房保護膜２と乳房との貼り付け度が高く、漏気および脱落が発見されていない。実際的なテストによれば、得られた効果は以下のとおりである。乳汁の分泌量が４〜６滴／秒であり、当該状態で搾乳動作を行うことにより、搾乳の高効率を保持しながら搾乳時に使用者に快適感を与えることができる。
【００４４】
具体的には、前記搾乳集乳器は、高さが９０〜９５ｍｍであり、最大幅が９０〜９５ｍｍであり、最大厚みが１５〜５２ｍｍであり、正味重量が４７〜５７ｇである。このように設計された搾乳集乳器は、全体の占用面積が相対的に小さく、衣類内に直接的に隠して集乳と搾乳の操作を行い、使用者の乳房を露出させず、いかなる環境で使用することができる。乳汁貯蔵容器の容積は、市販の一般的な電動搾乳器と手動搾乳器の容積範囲要求に達することもできる。現在、市販の一般的な電動搾乳器と手動搾乳器の容積範囲が５０〜１２０ｍｌであり、使用者による１回の搾乳要求を満たし、乳汁を排出する回数を低減させる。また、複数のサンプルを比較することにより、上記データにより形成される搾乳集乳器の体積が手動搾乳器の約三分の二であり、重量が単一の完全な電動搾乳器の五分の二に過ぎない。
【００４５】
前記乳房保護膜２の厚みが前記本体１の厚みよりも小さい。このような設計によれば、主に、本体１は、一定の強度を有し、変形を防止することで、本体１内の乳汁が溢れないことを確保する。本実施例において、本体１の厚みが４〜５ｍｍである。その厚みで、本体１は、変形しないように支持する十分な強度を有するだけでなく、使用者の乳房を押圧して変形させやすく、吸着力を生成し乳汁を抽出することができる。且つ、その厚みで、本体１の乳房に対する吸着力が最適であり、乳房の乳汁分泌量が４〜６滴／秒であることを確保し、快適性が最もよく、乳房に対するダメージも最も小さい。
【００４６】
一実施例において、前記本体１の内壁において、前記本体１と前記乳房保護膜２との連結箇所に設けられた支持リング３が凸設され、前記支持リング３の厚みが前記乳房保護膜２の厚みよりも大きい。支持リング３が設けられることにより、搾乳集乳器の集乳口２１を効果的に支持し、集乳口２１が乳房と接触した場合、或いは搾乳集乳器が押圧された場合、その支持リング３は、いずれも、集乳口２１の形状を変形させないように効果的に保持することができ、且つ乳房保護膜２と乳房とが良好な貼り付け効果を保持することもできる。
【００４７】
本実施例において、前記乳房保護膜２の形状が、前記本体１における前記乳房保護膜２が設けられた一方側面の形状と合致し、前記支持リング３の形状が前記乳房保護膜２の外縁の形状と合致する。即ち、乳房保護膜２、支持リング３および本体１の外形全体は、比例して拡大・縮小するものである。
【００４８】
むろん、他の実施例において、乳房保護膜２の形状が本体１の外形全体のサイズと合致せず、支持リング３の形状が前記乳房保護膜２の外縁の形状と合致するように設けられてもよい。
【００４９】
具体的には、前記本体１の高さ方向に沿い、前記集乳口２１の上方における内壁から前記乳房保護膜２の頂部における外縁までの距離がｈ１であり、前記集乳口２１の下方における内壁から前記乳房保護膜２の底部における外縁までの距離がｈ２であり、ｈ１はｈ２よりも小さい。哺乳期の女性の乳房が大きくなって垂下状態となっており、集乳口２１が乳房保護膜２の中央よりも上方に位置し、乳房保護膜２が乳房に接触した場合、乳房保護膜２の下半部分の幅が乳房保護膜２の上半部分の幅よりも大きいため、乳房に対して上向きの強い支持力を形成し、使用者の垂下した乳房を抱き上げ、乳首を集乳口２１の中間位置に保持させ、胸サイズの異なる使用者が正常に使用可能であることを確保しながら、使用者の乳房が垂下する不快適を緩和することができる。
【００５０】
さらに、前記集乳口２１は、楕円形の孔であり、前記集乳口２１の長軸半径が前記本体１の幅方向に沿って延び、且つ前記集乳口２１の中心が前記乳房保護膜２の中心よりも上方に間隔をおいて設けられる。楕円形の集乳口２１は、円滑でバリがなく、角がない構造として形成されるため、使用者の使用快適性を向上させることができ、且つ、楕円形の集乳口２１が乳房保護膜２の中央よりも上方に位置するため、乳房に対して比較的に理想的な収容効果を有し、使用過程において偏りまたは脱離が発生することを回避することができる。
【００５１】
本実施例において、集乳口２１は、最小直径が３２ｍｍであり、最大直径が４２ｍｍである。
【００５２】
一実施例において、前記本体１の内壁および外壁は、いずれもスムーズに設けられ、且つ前記本体１と前記支持リング３との連結箇所、前記支持リング３と前記乳房保護膜２との連結箇所および前記本体１内外のコーナは、いずれもスムーズな過渡構造として設けられる。このような設計によれば、本体１の内外に死角がなく、清潔しやすいと共に、使用者が手で把持した場合、快適性が高い。
【００５３】
一実施例において、前記本体１は、頂部１６、底部１５、第１の側壁１２、第２の側壁１３、前側壁および後側壁１７を有し、前記乳房保護膜２が前記前側壁に設けられ、前記第１の側壁１２および前記第２の側壁１３が前記本体１の幅方向に沿って間隔をおいて設けられ、前記前側壁および前記後側壁１７が前記本体１の厚み方向に沿って間隔をおいて設けられ、前記頂部１６および前記底部１５が前記本体１の高さ方向に沿って間隔をおいて設けられる。
【００５４】
前記第１の側壁１２および前記第２の側壁１３において、いずれも前記乳汁貯蔵容器の外部に向かって押出部１４が凸設形成され、２つの前記押出部１４間の距離が前記本体１の底部１５における幅および前記本体１の頂部１６における幅よりも大きい。外へ突出した押出部１４が設けられることにより、使用者が本体１を押圧して搾乳の操作を実現しやすく、一方、乳汁貯蔵容器の容積を向上させることができる。
【００５５】
本実施例において、前記本体１の底部１５における幅が前記本体１の頂部１６における幅よりも大きい。このような設計によれば、上が狭く下が広い構造として形成され、搾乳集乳器の造形をより安定させることができる。
【００５６】
具体的には、前記押出部１４は、円弧状構造である。このような設計によれば、本体１の外壁および内壁において鋭角構造がないため、死角の形成を防止し、清潔しやすい。また、円弧状構造の押出部１４は、押圧操作に対してより適合する。
【００５７】
さらに、前記押出部１４の厚みが前記本体１の厚みよりも小さい。薄く製造された押出部１４は、弾性効果がより良く、押圧時に、生成した吸着力がより大きく、搾乳の速度がより速い。
【００５８】
一実施例において、前記乳汁排出口１１は前記頂部１６の中心に位置する。このような設計によれば、乳汁貯蔵容器内の乳汁をより容易に排出することを確保することができる。むろん、乳汁排出口１１の設置位置は、頂部１６の中心に限らず、本体１の他の位置であってもよく、例えば、前記乳汁排出口１１が前記後側壁１７に位置し、且つ前記乳汁排出口１１の中心が前記集乳口２１の中心よりも上方に位置し、或いは、前記乳汁排出口１１が前記第１の側壁１２または前記第２の側壁１３に位置し、且つ前記乳汁排出口１１の中心が前記集乳口２１の中心よりも上方に位置する。
【００５９】
具体的には、前記乳汁排出口１１の直径ｄが５ｍｍである。
【００６０】
本実施例において、前記乳汁排出口１１の一方側において、前記乳汁排出口１１内に挿入されて前記乳汁排出口１１を密封可能な密封栓５が凸設された連結ベルト４が設けられている。取り外し不可能な密封栓５は、必要に応じて、乳汁排出口１１内に挿入されて乳汁排出口１１を密封することができ、シリコーン材質の密封栓５は、密封効果がよく、紛失しにくい。
【００６１】
本実施例において、前記密封栓５は、前記連結ベルト４の非端部位置に設けられている。このような設計によれば、連結ベルト４の端部において十分に引き動かされる箇所があり、密封栓５を乳汁排出口１１から取り出しやすく、乳汁排出口１１を開けることに便利である。
【００６２】
具体的には、前記密封栓５は、連結リンク５１を含み、前記連結リンク５１の前記連結ベルト４から離れる一端に円錐形の案内部５２が設けられ、前記案内部５２の大端が前記連結リンク５１に連結され、前記案内部５２の小端が空中にぶら下がって設けられ、前記案内部５２の大端の直径がＤ１であり、前記案内部５２の小端の直径がＤ２であり、前記乳汁排出口１１の直径がｄであり、Ｄ２＜ｄ＜Ｄ１である。
【００６３】
他の実施例において、前記連結リンク５１は、円錐形となり、前記連結リンク５１の大端が前記案内部５２の大端に連結され、前記連結リンク５１の小端が前記連結ベルト４に連結され、前記密封栓５が前記乳汁排出口１１内に挿入された場合、前記乳汁排出口１１が前記連結リンク５１の非端部位置と締り嵌めする。連結リンク５１も円錐形の構造として設けられることにより、円錐形の連結リンク５１と円錐形の案内部５２とにより両方向の案内を実現し、密封栓５の耐用年数を向上させることができる。
【００６４】
一実施例において、前記支持リング３上に案内溝６が開設され、前記案内溝６は、前記案内溝６が前記支持リング３の両側における空間を連通するように、前記支持リング３の厚み方向に沿って貫通して設けられ、前記案内溝６は、前記乳汁排出口１１に隣り合う。支持リング３が本体１の内壁に凸設されるため、乳房保護膜２と支持リング３との間に凹溝７が形成され、搾乳と集乳時に、乳汁が凹溝７内に流れる可能性があり、その案内溝６は、凹溝７内の乳汁を案内し、本体１内の乳汁を排出する場合、凹溝７内の乳汁を直接的に乳汁排出口１１までに案内して排出することができる。
【００６５】
本実施例において、前記案内溝６の溝底がそれぞれ、前記凹溝７の溝底および前記本体１の内壁（即ち、乳汁貯蔵容器の内壁）に面一する。
【００６６】
一実施例において、前記本体１の底部１５において、前記本体の厚み方向に沿って前記本体１の両側に間隔をおいて設けられた固定脚アセンブリが２組設けられ、２組の前記固定脚アセンブリは、それぞれ、前記本体１の前側に位置する第１のアセンブリおよび前記本体１の後側に位置する第２のアセンブリであり、前記第１のアセンブリは、前記本体１の幅方向に沿って間隔をおいて設けられた固定前脚８を２つ含み、前記第２のアセンブリは、前記本体１の幅方向に沿って間隔をおいて設けられた固定後脚９を２つ含み、前記固定前脚８と前記固定後脚９は、鋭角となって設けられる。２つの固定前脚８と２つの固定後脚９が４つの支持箇所を形成し、４つの支持箇所が１つの矩形の支持平面を形成するため、搾乳集乳器全体は、安定性を保持することができる。
【００６７】
本実施例において、固定前脚８の長さが固定後脚９の長さよりも小さい。このような設計によれば、搾乳集乳器は、乳汁をいっぱいに貯蔵した場合、比較的に高い安定性を保持することができる。
【００６８】
具体的には、固定前脚８および２つの固定後脚９は、４〜６ｍｍである。
【００６９】
本発明に係る実施例におけるシリコーンで一体成型される、着用可能な搾乳集乳器は、搾乳および集乳の二重機能を有し、体積が小さく、隠蔽性が高い。本発明に係る搾乳集乳器は、哺乳期の女性の以下の生理的特徴に対して支援を提供することができる。
【００７０】
（１）乳房緊満：搾乳集乳器の搾乳機能は、使用者が乳汁を排出することを促進することができる。哺乳期の女性が直ちに乳汁を排出する必要がある場合、乳汁が持続してより多く分泌することを促進する。本搾乳集乳器は、スムーズに設計され、大部分の女性の衣類に隠すことができ、使用者の着装効果に影響を及ぼせず、他人に発見されにくく、隠蔽性が高く、外出時に適用される。
【００７１】
（２）乳汁漏出：搾乳集乳器の集乳機能は、使用者が乳汁を収集することに役に立つことができる。人体の乳腺が連通であるため、哺乳期の女性が赤ちゃんに授乳しながら、乳汁が乳房から溢れることがあり、直ちに収集しなければ無駄になる。当該搾乳集乳器は、一体成型され、密封性が高く、且つ乳汁を抽出し吸収する二重の機能を有し、手で把持する必要がない効果を実現することができる。さらに、仰臥、立て、または走行の状態で、良好な使用エクスペリエンスに達することができる。
【００７２】
（３）乳汁分泌量が小さい：搾乳集乳器の搾乳機能は、使用者の乳腺を刺激することに寄与し、第一回授乳の効果を達成することができる。一部の哺乳期の女性は、直ちに、対応する外界からの刺激を受けていないため、乳汁分泌量が小さくなる。赤ちゃんが十分な乳汁栄養を得ない場合、発育遅延の現象を引き起こす可能性がある。搾乳集乳器を用いることにより、使用者の乳房に対して持続する吸着力を生成し、赤ちゃんの吸い取り効果を模擬して乳腺の分泌を刺激し、乳汁分泌量を向上させると共に、哺乳期の女性の乳汁分泌量が小さいという問題を改善する。
【００７３】
本発明において、「上」などの方位または位置関係は、図面に示した方位または位置関係を指し、操作を説明し簡素化するためのものに過ぎず、指した装置または素子が必ずしも特定な方位を有し、特定な方位で構成し操作しなければならないことを指示・示唆するものではないことを理解すべきである。そのため、本発明に対する限定として理解することができない。
【００７４】
本明細書において、「一実施例」という用語は、当該実施例を結び付ける具体的な特徴、構造、材料または特性が本発明の少なくとも１つの実施例または例に含まれる意味である。本明細書において、上記用語に対する例示的な説明が同一の実施例を指すとは限らない。
【００７５】
また、本明細書において、実施形態に基づいて説明したが、各実施形態に１つだけの独立した技術案を含むものではなく、明細書におけるこのような説明形態が明確にするためのものに過ぎないことを理解すべきである。当業者であれば、明細書を１つの全体として、各実施例における技術案を適当に組み合わせて、当業者にとって理解可能な他の実施形態を形成することができる。
【００７６】
以上、具体的な実施例を結び付けて本発明の技術原理を説明した。それらの説明は、本発明の原理を解釈するためのものに過ぎず、いかなる形態で本発明の保護範囲に対する限定として解釈することができない。ここでの解釈に基づき、当業者が創造的な労働を払わずに本発明の他の具体的な実施形態を想到でき、それらの形態は、本発明の保護範囲に属すべきである。
【符号の説明】
【００７７】
１、本体
１１、乳汁排出口
１２、第１の側壁
１３、第２の側壁
１４、押出部
１５、底部
１６、頂部
１７、後側壁
２、乳房保護膜
２１、集乳口
３、支持リング
４、連結ベルト
５、密封栓
５１、連結リンク
５２、案内部
６、案内溝
７、凹溝
８、固定前脚
９、固定後脚
【図１】
0006921152.tif 000002
【図２】
0006921152.tif 000003
【図３】
0006921152.tif 000004